(57)【特許請求の範囲】
【請求項１】
天井面に開設される天井開口に嵌挿固定される方形状の外枠と、上記外枠の対向する二辺間に介設される回動部材を介して開閉可能に形成され、内部に蓋材を設けた内枠と、上記外枠の上方に配置され、天井下地桁材に固定される方形状の断熱枠と、上記外枠及び上記断熱枠の開口内に挿脱可能に配置される断熱蓋と、を具備する天井点検口であって、
上記外枠には、垂直方向に回動可能に軸止される固定片と、上記固定片の端部から直交状に屈曲される押え片と、からなる断熱蓋落下防止具が、少なくとも対向する二辺に取り付けられ、
上記断熱蓋落下防止具は、上記固定片を垂直にする垂直姿勢と水平にする水平姿勢に切り換え可能に形成され、
上記垂直姿勢では、上記押え片が上記断熱蓋の下面に当接することにより、上記断熱蓋の落下を防止し、上記水平姿勢では、上記押え片を上記固定片が軸止される上記外枠の辺と直交する辺と平行に近接することにより、上記断熱蓋を挿入、取り外し可能に形成してなる、
ことを特徴とする天井点検口。
【請求項２】
請求項１記載の天井点検口において、
上記断熱枠は、発泡断熱樹脂材にて形成されると共に、固定具により上記天井下地桁材に固定され、
上記固定具は、平板状の基部と、基部の対向する辺から直交する方向に起立されると共に、互いにハの字状に突設する先端が尖鋭状の固定爪とを具備し、
上記断熱枠の外側の側面に、上記固定爪を差し込み、上記基部と上記天井下地桁材を固定部材により固定してなる、
ことを特徴とする天井点検口。
【請求項３】
請求項１又は２記載の天井点検口において、
上記内枠の開放時に上記水平姿勢にある上記断熱蓋落下防止具の上記押え片を、上記内枠の閉鎖の際に上記内枠と係合可能に形成し、上記内枠の閉鎖動作に連動して、上記断熱蓋落下防止具を上記垂直姿勢に切り換えるように形成してなる、
ことを特徴とする天井点検口。
【発明の詳細な説明】
【技術分野】
【０００１】
本発明は、住宅などの天井に設けられる天井点検口に関するものである。
【背景技術】
【０００２】
住宅の天井には、天井裏で点検者が点検作業をする際の開口として天井点検口が設けてあるのが一般的である。この天井点検口は、不使用時には点検蓋によって封鎖してあるが、一枚の点検蓋だけでは隙間から外気の侵入や点検蓋から天井部の放熱により居住空間の気密性・断熱性が損なわれる虞が高い。そこで、点検蓋の上側に断熱性を有する断熱蓋を更に取り付け、蓋を二重に設けることにより、居住空間の気密性・断熱性を高めるのが一般的である。
【０００３】
従来、この断熱蓋の係止手段として、断熱中蓋の上部にフランジ部を設け、取付枠の上端面と上記フランジ部を係合させて係止させる構造が知られている（例えば、特許文献１参照）。
【０００４】
また、内枠の上端に延設された板部と、板部にねじ止めされる押さえ金具との間に挟まれた出退可能な受け金具を介在させ、上記受け金具を収納空間に引っ張り出して断熱蓋を係止する構造が知られている（例えば、特許文献２参照）。
【０００５】
また、断熱性能を更に高めるために、断熱外枠を発泡材で形成し、天井上に設けられた野縁に取り付けられたほぼＬ字型の取り付け金具を断熱外枠に突き刺すことにより、断熱外枠を固定する構造が知られている（例えば、特許文献３参照）。
【先行技術文献】
【特許文献】
【０００６】
【特許文献１】特開平１１−１５９１２０号公報
【特許文献２】特開２００９−１４４４４９号公報
【特許文献３】特開２００１−３４９０４７号公報
【発明の概要】
【発明が解決しようとする課題】
【０００７】
しかしながら、特許文献１に記載の技術においては、取付枠を通過して天井開口から室内側に断熱中蓋を取り外す作業を行う場合、断熱中蓋を上方に持ち上げて回転させ斜めに傾けないと、フランジ部が引っ掛かるため取付枠を通過することができない。このため、断熱中蓋を上方に持ち上げて回転させる天井裏スペースが確保できないと取外し作業を行うことができないという問題がある。
【０００８】
また、特許文献２に記載の技術においては、断熱蓋の落下防止のための部品点数が多く、コストがかかると共に取り付けに手間がかかるという問題がある。
【０００９】
また、特許文献３に記載の技術においては、例えば断熱蓋を取り付ける際、断熱外枠に必要以上に押し上げ力が働いた場合、Ｌ字型の取り付け金具が変形して隙間が生じ、気密・断熱効率が低下する虞がある。
【００１０】
この発明は、上記事情に鑑みてなされたもので、少ない構成部品で取付手間やコストを軽減すると共に、断熱蓋を確実に係止することができると共に容易かつ安全に挿入、取り外しすることができる天井点検口を提供することを目的とする。
【課題を解決するための手段】
【００１１】
上記課題を解決するため、請求項１記載の発明は、天井面に開設される天井開口に嵌挿固定される方形状の外枠と、上記外枠の対向する二辺間に介設される回動部材を介して開閉可能に形成され、内部に蓋材を設けた内枠と、上記外枠の上方に配置され、天井下地桁材に固定される方形状の断熱枠と、上記外枠及び上記断熱枠の開口内に挿脱可能に配置される断熱蓋と、を具備する天井点検口であって、  上記外枠には、垂直方向に回動可能に軸止される固定片と、上記固定片の端部から直交状に屈曲される押え片と、からなる断熱蓋落下防止具が、少なくとも対向する二辺に取り付けられ、  上記断熱蓋落下防止具は、上記固定片を垂直にする垂直姿勢と水平にする水平姿勢に切り換え可能に形成され、  上記垂直姿勢では、上記押え片が上記断熱蓋の下面に当接することにより、上記断熱蓋の落下を防止し、上記水平姿勢では、上記押え片を上記固定片が軸止される上記外枠の辺と直交する辺と平行に近接することにより、上記断熱蓋を挿入、取り外し可能に形成してなる、ことを特徴とする。
【００１２】
このように構成することにより、断熱蓋落下防止具は、垂直姿勢では、押え片が断熱蓋の下面に当接することにより、断熱蓋の落下を防止するため、内枠を開放した際、断熱蓋が予期せず落下することはなく、断熱蓋を確実に係止することができる。また、水平姿勢では、押え片を固定片が軸止される上記外枠の辺と直交する辺と平行に近接するため、作業員は断熱蓋を容易かつ安全に挿入、取り外しすることができる。更に、断熱蓋落下防止具は外枠と開放された内枠の縁に沿うように収納されるため、作業員の作業スペースを阻害しない。
【００１３】
また、この発明において、上記断熱枠は、発泡断熱樹脂材にて形成されると共に、固定具により上記天井下地桁材に固定され、  上記固定具は、平板状の基部と、基部の対向する辺から直交する方向に起立されると共に、互いにハの字状に突設する先端が尖鋭状の固定爪とを具備し、  上記断熱枠の外側の側面に、上記固定爪を差し込み、上記基部と上記天井下地桁材を固定部材により固定する方がよい（請求項２）。
【００１４】
このように構成することにより、固定具の固定爪は断熱枠の外側の側面にハの字状に差し込まれるため、断熱枠を必要以上に押し上げる力が働いたとしても、固定爪は互いにハの字状に突設されているため変形に強く、天井下地桁材と強固に固定されるため、断熱枠と天井下地桁材の間に隙間が生じにくい。
【００１５】
更に、この発明において、上記内枠の開放時に上記水平姿勢にある上記断熱蓋落下防止具の上記押え片を、上記内枠の閉鎖の際に上記内枠と係合可能に形成し、上記内枠の閉鎖動作に連動して、上記断熱蓋落下防止具を上記垂直姿勢に切り換えるように形成してなる方がよい（請求項３）。
【００１６】
このように構成することにより、内枠を閉鎖する際に、断熱蓋落下防止具を水平姿勢から垂直姿勢に切り換える作業を忘れた場合であっても、断熱蓋落下防止具は、内枠の閉鎖動作に連動して垂直姿勢に切り換わることができるため、再度内枠を開放する際、断熱蓋が落下してくることはない。
【発明の効果】
【００１７】
この発明によれば、上記のように構成されているので、天井点検口を少ない構成部品で形成するため、取付手間やコストを軽減することができると共に、断熱蓋を確実に係止することができると共に容易かつ安全に挿入、取り外しすることができる。
【図面の簡単な説明】
【００１８】
【図１】この発明に係る天井点検口の一例を示す断面図である。
【図２】図1のＩ部拡大断面図である。
【図３】この発明における内枠を開放した状態を示す拡大断面図である。
【図４】この発明に係る天井点検口の一部を断面で示す平面図である。
【図５】この発明における内枠を開放した状態で開閉基端側及び開閉自由端側の断熱蓋落下防止具を垂直姿勢にした斜視図（ａ），（ｂ）及び断熱蓋落下防止具を水平姿勢にした斜視図（ｃ），（ｄ）である。
【図６】この発明における断熱蓋落下防止具が内枠の閉鎖時に連動して垂直姿勢に切り換わる状態を示す斜視図である。
【図７】この発明における断熱蓋と断熱枠を示す斜視図である。
【図８】この発明における固定具を示す斜視図である。
【図９】上記固定具の取付状態を示す断面図である。
【図１０】この発明における天井開口と断熱枠を示す斜視図である。
【図１１】この発明における内枠を取り付ける前の状態を示す斜視図である。
【図１２】この発明における内枠を取り付けた状態を示す斜視図である。
【図１３】この発明における断熱蓋を取り付けた状態を示す斜視図である。
【図１４】この発明における内枠を閉鎖した状態を示す斜視図である。
【図１５】この発明における断熱蓋の挿入状態を示す斜視図である。
【図１６】この発明における断熱枠の別の形状を示す要部拡大断面図である。
【発明を実施するための形態】
【００１９】
以下に、この発明に係る天井点検口１の実施形態を添付図面に基づいて詳細に説明する。
【００２０】
図１〜図４に示すように、この発明に係る天井点検口１は、天井面２に開設される天井開口３に嵌挿固定される方形状の外枠２０と、外枠２０の対向する二辺間に介設される回動部材８を介して開閉可能に形成され、内部に蓋材３１を設けた内枠３０と、外枠２０の上方に配置され、天井下地桁材５に固定される方形状の断熱枠１５と、外枠２０及び断熱枠１５の開口内に挿脱可能に配置される断熱蓋１０と、外枠２０に取り付けられた断熱蓋落下防止具４０と、断熱枠１５を天井下地桁材５に固定する固定具５０と、を具備する。
【００２１】
上記天井面２は、例えば合板や石膏板等からなる天井板４を例えば材木製の天井下地桁材５に固定されている。このようにして形成された天井面２には、方形状に天井開口３が開口され、天井開口３の天井側の周縁部に、天井下地桁材５が配置される。一方、周縁部に天井下地桁材５が配置されていない場合は、材木製の角材にて天井開口３の天井側の周縁部を囲えばよい。
【００２２】
上記外枠２０と内枠３０は、例えばアルミニウム押出形材で形成され、垂直片２５ａと、この垂直片２５ａの下端部に水平に延設されるフランジ部２５ｂが形成された断面略逆Ｔ字型の枠材２５Ａ，２５Ｂから形成される。
【００２３】
上記外枠２０を形成する枠材２５Ａは、垂直片２５ａの中間部に内方側が拡開開口し、外側側に突出するテーパー状の凹部２８が設けられている。枠材２５Ａの両端部は４５度にカットしてあり、隣接する枠材２５Ａとアングル状の固定金具２９によって当接接合し、かしめ加工を施すことで方形状に形成される（図１１参照）。
【００２４】
このように形成される外枠２０の凹部２８の適宜位置に孔が穿設される貫通孔を貫通して、天井下地桁材５にねじ結合される固定ねじ２７の皿状頭部が凹部２８内に収容されるようになっている（図２，図３参照）。
【００２５】
上記内枠３０は、枠材２５Ｂの両端部は４５度にカットしてあり、隣接する枠材２５Ｂとアングル状の固定金具３５によって当接接合し、かしめ加工を施すことで方形状に形成される（図５（ａ），（ｃ），図１２参照）。内枠３０には、天井開口３を開設した際に切り取られた天井開口３のサイズにほぼ合致する板材を適宜寸法調整して形成される蓋材３１が内部に固定される。蓋材３１の固定は、内枠３０に延設されたフランジ部２５ｂ上に蓋材３１を載置した状態で、内枠３０の垂直片２５ａと蓋材３１の端部上面に当接するアングル状の金具３６をねじ止めして固定する（図４参照）。なお、内枠３０のフランジ部２５ｂと蓋材３１の重なり合う部分には気密材であるパッキン材２３が介在されて、気密性能が維持されている。
【００２６】
上記回動部材８は、内枠３０の基端部側のコーナ部の外周面に装着されるアングル状の固定金具３５の一方の片をプレス加工によって段状に突設した部分に形成された軸部３０ａと、外枠２０の内側面に装着される固定基部９の表面に、上部側方が開口する軸受け筒部を突設した合成樹脂製の軸受け９ａからなる。なお、軸受け９ａを設けた固定基部９には、後述する断熱蓋落下防止具４０の押え片４２が係合する係合部９ｂが形成されている。
【００２７】
また、外枠２０の回動部材８側の端部のフランジ部２５ｂには、内枠３０が回動する際の干渉を回避するための図示しない切欠き部が設けられている。この切欠きと外枠２０と内枠３０との隙間を塞ぐため、内枠３０のフランジ部２５ｂの上面にはパッキン材２３が装着されている。
【００２８】
図２に示すように、内枠３０の閉鎖状態において、内枠３０の開閉側三辺の外方に延設されるフランジ部２５ｂを、外枠２０の開閉側三辺の内方に延設されるフランジ部２５ｂの下面に重ね合わせ、内枠３０の基端側一辺の外方に延設されるフランジ部２５ｂを、外枠２０の基端側一辺の内方に延設されるフランジ部２５ｂの上面に重ね合わせることで、重ね合わせ部に介在されるパッキン材２３によって気密性を持たせることができる。
【００２９】
なお、内枠３０の閉鎖状態を確実にするために、施錠６が設けられている。施錠６は、回動自由端部側の内枠３０のフランジ部２５ｂの上方に立設される軸受け部材と軸受け部材に回転自在に嵌挿される操作軸と操作軸に直交状に突設されるロック片とを具備する。操作軸の下端面はフランジ部２５ｂの下面に露出しており、操作軸をドライバ等で回動させてロック片と外枠２０のフランジ部２５ｂの上面に係止させることでロックすることができる。
【００３０】
上記断熱蓋１０は、例えば発泡ポリスチロール製樹脂にて方形状に一体成形されたブロック体である。断熱蓋１０の下面には、断熱蓋１０の挿入、取り外しが容易になるようにつまみ用凹部１１が形成されている（図４，図１２，図１３参照）。
【００３１】
上記断熱枠１５は、例えば発泡ポリスチロール製樹脂にて一体成形され、上記断熱蓋１０を囲うよう方形状に形成されている。この場合、図１〜３に示すように、本実施形態においては、外枠２０の基端部に介設される回動部材８を介して、内枠３０の軸部３０ａを中心に開閉可能に形成されている。内枠３０の基端部から軸部３０ａまでの距離を取るため、断熱枠１５の幅は、閉鎖側一辺の方が開閉側の三辺と比べて肉厚に形成されている。また、内枠３０は軸部３０ａを中心に回動し、開放の際は基端部側は上方に回動するため、断熱枠１５の基端部側の底部に空間１８が設けられている。
【００３２】
また、図７に示すように、断熱枠１５の内面上部の各コーナ部には、抜け止め防止金具１６が設置されている。抜け止め防止金具１６は、断熱蓋１０が断熱枠１５から上部に抜き出るのを防止すると共に断熱枠１５と断熱蓋１０を確実に密着するため気密性・断熱性を向上することができる。抜け止め防止金具１６は、台形状の水平片１６ａと、水平片１６ａの両端から直交状に屈曲される一対の脚片１６ｂと、両脚片１６ｂの下辺両端部から下方外方に向かって突設される三角状爪１６ｃからなり、両端部の三角状爪１６ｃを断熱枠１５の隣り合う内周面にそれぞれ差し入れて取り付けられる。
【００３３】
図２，図３，図５（ａ）〜（ｄ）に示すように、断熱蓋落下防止具４０（以下に落下防止具４０という）は、外枠２０の垂直片２５ａにリベット４３を介して垂直方向に回動可能に軸止される矩形状の固定片４１と、固定片４１の端部から直交状に屈曲される矩形状の押え片４２とからなるＬ字状金具によって形成されており、固定片４１が垂直な垂直姿勢と水平な水平姿勢に切り換え可能に形成されている。落下防止具４０は、回動部材８の軸受け９ａを有する二辺の外枠２０における内枠３０の回動基端側と自由端側の４箇所に取り付けられている。
【００３４】
固定片４１は、垂直姿勢をとった際に固定片４１の下端部に形成される接触面４１ｂが外枠２０の内側のフランジ部２５ｂに接するように形成されると共に、接触面４１ｂの一方の角部に切欠部４１ｃが設けられている。切欠部４１ｃを設けた方向にのみ固定片４１は倒れることができるようになっている（図２，３参照）。
【００３５】
押え片４２は、上面には凸状円弧状に形成された係止面４２ａが形成されている（図３，図５（ａ）〜（ｄ））。このように形成することにより、押え片４２の側面と断熱蓋１０の下面が引っ掛かるのを抑制でき、断熱蓋１０を取り外す際の垂直姿勢から水平姿勢への切り換えが容易となる。
【００３６】
図８に示すように、上記固定具５０は、平板状の基部５０ａと、基部５０ａの対向する辺から直交する方向に起立されると共に、互いにハの字状に突設する先端が三角状かつ尖鋭状の固定爪５０ｂを具備する。基部５０ａには天井下地桁材５にねじ止め固定するための取付孔５０ｃが形成されている。
【００３７】
以下に天井点検口１の組み立て手順について、図９〜図１５を参照して説明する。まず、図１０に示すように、抜け止め防止金具１６と固定具５０が差し込まれた断熱枠１５を天井開口３に取り付ける。この場合、図９に示すように、断熱枠１５に差し込まれた固定具５０の基部５０ａに形成された取付孔５０ｃを貫通する固定部材である皿状頭部を有するねじ５５を、天井下地桁材５の内側面にねじ螺合することにより、断熱枠１５を天井下地桁材５に固定する。図９に示すように、三角状の尖鋭状の固定爪５０ｂは根元まで断熱枠１５に差し込まれ、この基部５０ａの表面は断熱枠１５の外壁面に密着されると共に、裏面は天井下地桁材５の内側面と密着する。上記のように構成することにより、断熱枠１５を必要以上に押し上げる力が働いたとしても、固定爪５０ｂはハの字状に突設されているため変形に強く、断熱枠１５と天井下地桁材５の間に隙間が生じにくいため、居住空間の気密性・断熱性を向上させることができる。
【００３８】
次に、図１１，図１２に示すように、天井開口３の開口周縁部に、落下防止具４０と固定基部９が取り付けられた外枠２０を嵌挿した状態で、外枠２０の垂直片２５ａを貫通する固定ねじ２７を天井下地桁材５にねじ結合して外枠２０を固定する。外枠２０を固定した後、切欠き部の箇所から内枠３０を外枠２０内に挿入し、内枠３０の垂直片２５ａに突設された軸部３０ａを外枠２０に取り付けられた固定基部９の軸受け９ａの上方開口から落とし込むようにして嵌合して、内枠３０を外枠２０に対して開閉可能に取り付ける。
【００３９】
次に、図１２，１３に示すように、断熱枠１５に断熱蓋１０を挿入する。この際、外枠２０に取り付けられた４個の落下防止具４０の姿勢が水平姿勢であるかを確認する。
【００４０】
図５（ｃ）に示すように、基端部側の押え片４２は、落下防止具４０が水平姿勢の状態においては、回動部材８の係合部９ｂに係止される。一方、図５（ｄ）に示すように、回動自由端側の押え片４２は、落下防止具４０が水平姿勢の状態においては、固定片４１がリベット４３により軸止されている枠材２５と直交する枠材２５の垂直片２５ａに押え片４２の係止面４２ａが平行に近接する。
【００４１】
図１３に示すように、断熱蓋１０を挿入した後、落下防止具４０を回動させて垂直姿勢に切り換える。落下防止具４０を垂直姿勢にすることにより、押え片４２が断熱蓋１０の下面に当接することにより断熱蓋１０を支え、落下を防止することができる。
【００４２】
上述したように、固定片４１は、下端部に形成される接触面４１ｂが外枠２０の内側のフランジ部２５ｂに接するように形成されると共に、接触面４１ｂの一方の角部に切欠部４１ｃを設けてあるため、切欠部４１ｃを設けた方向にのみにしか固定片４１は倒れることはできず、逆回動することはない。
【００４３】
最後に、内枠３０の回動自由端側を上方に持ち上げて開口を閉鎖し、施錠６によりロックする。これにより、内枠３０及び蓋材３１の閉鎖状態を確実にすることができる。
【００４４】
上記のように構成される天井点検口１から、天井裏の点検を行うときは、作業員は施錠６によりロックを解除し、蓋材３１が取り付けられた内枠３０の回動自由端側を下方に開く。内枠３０を開放した際、落下防止具４０が垂直姿勢をとっており、押え片４２が断熱蓋１０の下面に当接して断熱蓋１０の落下を防止するため、断熱蓋１０が予期せず落下することはなく、作業員の安全性を確保することができる。
【００４５】
次に、作業員は断熱蓋１０の下面を押えながら、垂直姿勢にある落下防止具４０を、それぞれの端部側に倒して水平姿勢に切り換える。計４個の落下防止具４０を水平姿勢にすれば、押え片４２を、固定片４１が軸止される外枠２０の枠材２５と直交する枠材２５と平行に近接することにより、断熱蓋１０が外枠２０を通過するスペースを確保することができるため、断熱蓋１０を室内側に取り外すことができる。
【００４６】
そして、作業員は外枠２０の開口部から天井裏を点検することが可能になるが、４個の落下防止具４０は水平姿勢を保つことにより、外枠２０と開放された内枠３０の縁に沿うように収納されるため、作業員の作業スペースを阻害しない。
【００４７】
天井裏の点検を終えた作業員は、上述した取付方法と同様に断熱蓋１０を挿入し、内枠３０を閉じて点検を終える。この際、作業員が、基端部側の落下防止具４０を水平姿勢から垂直姿勢に切り換える作業を忘れてしまう事態も想定し得る。この場合、再度内枠３０を開放する際、断熱蓋１０の基端部側は支えるものがなく、断熱蓋１０が開放と共に落下してくる危険がある。そこで、内枠３０の開放時に水平姿勢にある落下防止具４０の押え片４２が、蓋材３１が取り付けられた内枠３０の閉鎖の際に内枠３０と係合するように、押え片４２の長さが固定片４１から内枠３０までの距離より短くならないようにする。上記のように構成することにより、図６（ａ），（ｂ）に示すように、内枠３０の閉鎖動作に連動して、水平姿勢にある落下防止具４０が垂直姿勢に切り換えることができる。したがって、内枠３０を閉鎖する際に、落下防止具４０を水平姿勢から垂直姿勢に切り換える作業を忘れた場合であっても、再度内枠３０を開放する際、断熱蓋１０が落下してくることはないため、作業員の安全性を確保することができる。
【００４８】
上述した実施形態では、断熱枠１５は、断熱蓋１０を囲うように設けられ、その上部のコーナ部に抜け止め防止金具１６を差し入れる場合について説明したが、挿入された断熱蓋１０が断熱枠１５から抜き出るのを防止できれば、別の構造としてもよい。
【００４９】
例えば、図１６に示すように、断熱蓋１０を囲うように設けられた断熱枠１５Ａは、例えば発泡ポリスチロール製樹脂にて形成され、その内周面の上端部に内向きの内方フランジ部１７が一体に成形されている。内方フランジ部１７の下面と、挿入された断熱蓋１０の上面が係止されることにより、断熱蓋１０が断熱枠１５Ａから上部に抜き出るのを防止することができる。なお、図１６において、その他の部分は上述した実施形態と同じであるので、同一部分には同一符号を付して説明を省略する。
【００５０】
また、断熱枠１５Ａは、断熱蓋１０の肉厚に合わせて、方形状の枠部材を重ねると共に、最上層に内方フランジ部１７を有する枠部材を重ねて断熱枠１５Ａを形成すれば、様々な厚さの断熱蓋１０に対応することができる。また断熱枠１５は切り取りが容易な発泡ポリスチロール製樹脂製であるため、内方フランジ部１７を有する枠部材のみを用意し、断熱蓋の高さに合わせて内方フランジ部１７を切り取り方形状の枠部材を必要な数だけ作成して、最上層に内方フランジ部１７を有する枠部材を重ねて、断熱枠１５Ａを形成することもできる。
【符号の説明】
【００５１】
１    天井点検口
２    天井面
３    天井開口
５    天井下地桁材
８    回動部材
１０  断熱蓋
１５  断熱枠
２０  外枠
３０  内枠
３１  蓋材
４０  断熱蓋落下防止具
４１  固定片
４２  押え片
５０  固定具
５０ａ  基部
５０ｂ  固定爪
５５  ねじ（固定部材）
【図１】
0005424966.tif 000002
【図２】
0005424966.tif 000003
【図３】
0005424966.tif 000004
【図４】
0005424966.tif 000005
【図５】
0005424966.tif 000006
【図６】
0005424966.tif 000007
【図７】
0005424966.tif 000008
【図８】
0005424966.tif 000009
【図９】
0005424966.tif 000010
【図１０】
0005424966.tif 000011
【図１１】
0005424966.tif 000012
【図１２】
0005424966.tif 000013
【図１３】
0005424966.tif 000014
【図１４】
0005424966.tif 000015
【図１５】
0005424966.tif 000016
【図１６】
0005424966.tif 000017